(57)【要約】【課題】既設の建物に対して簡便に施工し、良好な断熱性能を実現する。【解決手段】建物駆体Ｒの外壁面Ｒ1 に固定する取付金具１０と、取付金具１０を介して外壁面Ｒ1 に装着する断熱パネル２０とを設け、断熱パネル２０は、取付金具１０の係止部１２を発泡断熱材２１に差し込むことにより、建物駆体Ｒとの間に空隙Ｇを設けて装着する。【選択図】図１
2007170002.tif 000002
【特許請求の範囲】
【請求項１】
建物駆体のコンクリート製の外壁面に固定する取付金具と、該取付金具を介して建物駆体の外壁面に装着する断熱パネルとを備えてなり、前記取付金具は、建物駆体に固定するベース部に係止部を立設し、前記断熱パネルは、発泡断熱材の表面側に補強用のメッシュ織物を貼着して防水仕上げ処理し、前記係止部を前記発泡断熱材に差し込むことにより、建物駆体との間に少なくとも前記ベース部の厚さ相当の空隙を設けて装着することを特徴とする建築物の外断熱構造。
【請求項２】
前記係止部は、接着剤を介して前記発泡断熱材に接着することを特徴とする請求項１記載の建築物の外断熱構造。
【請求項３】
建物駆体のコンクリート製の外壁面に固定するベース部と、該ベース部に立設する係止部とを備えてなり、該係止部は、断熱パネルの発泡断熱材に差し込むことにより建物駆体との間に少なくとも前記ベース部の厚さ相当の空隙を設けて断熱パネルを建物駆体の外壁面に装着することを特徴とする建築物の外断熱構造用の断熱パネルの取付金具。
【請求項４】
前記係止部は、先端を尖らせることを特徴とする請求項３記載の建築物の外断熱構造用の断熱パネルの取付金具。
【請求項５】
前記係止部には、戻り止めを設けることを特徴とする請求項３または請求項４記載の建築物の外断熱構造用の断熱パネルの取付金具。
【発明の詳細な説明】
【技術分野】
【０００１】
この発明は、鉄筋コンクリート製（鉄骨コンクリート製を含む、以下同じ）の建築物において、断熱性能が高く、しかも簡便に施工することができる建築物の外断熱構造と、それに使用する断熱パネルの取付金具に関する。
【背景技術】
【０００２】
鉄筋コンクリート製の建物駆体の外壁面に断熱パネルを装着する外断熱構造は、たとえばコンクリート板の表面側に外装パネルを付設し、裏面側に断熱材を付設するプレキャストコンクリート板を外側の型枠として外壁用のコンクリートを打設することにより、プレキャストコンクリート板の断熱パネルを建物駆体と同時に一体施工することができる（特許文献１）。一方、既設の建築物に外断熱用の断熱パネルを付加する場合、たとえば建物駆体に固定するアンカボルトを介して断熱パネルを外壁面にねじ止めする工法が知られている（特許文献２）。
【特許文献１】特開２００１−３４９９号公報
【特許文献２】実願昭５３−１１７２７４号（実開昭５５−３５１０２号）のマイクロフィルム
【発明の開示】
【発明が解決しようとする課題】
【０００３】
かかる従来技術の前者によるときは、外断熱用のプレキャストコンクリート板を型枠として建物駆体の外壁を形成するから、新設の建物を建築するときはよいとしても、既設の建物に適用することができず、後者によるときは、既設の建物に適用可能であるが、アンカボルトの固定、断熱パネルのねじ止めに過大な工数を要するという問題があった。また、両者のいずれも、断熱パネルと建物駆体との間に空隙を設けることができないため、断熱パネルに湿気が入り、断熱性能を低下させることが少なくないという問題があった。
【０００４】
そこで、この発明の目的は、かかる従来技術の問題に鑑み、軽量の断熱パネルと、ベース部、係止部を有する取付金具とを組み合わせることによって、既設の建物に対して簡便に施工することができる上、長期に亘って良好な断熱性能を維持することができる建築物の外断熱構造と、それに使用する断熱パネルの取付金具を提供することにある。
【課題を解決するための手段】
【０００５】
かかる目的を達成するためのこの出願に係る第１発明（請求項１に係る発明をいう、以下同じ）の構成は、建物駆体のコンクリート製の外壁面に固定する取付金具と、取付金具を介して建物駆体の外壁面に装着する断熱パネルとを備えてなり、取付金具は、建物駆体に固定するベース部に係止部を立設し、断熱パネルは、発泡断熱材の表面側に補強用のメッシュ織物を貼着して防水仕上げ処理し、係止部を発泡断熱材に差し込むことにより、建物駆体との間に少なくともベース部の厚さ相当の空隙を設けて装着することをその要旨とする。
【０００６】
なお、係止部は、接着剤を介して発泡断熱材に接着することができる。
【０００７】
第２発明（請求項３に係る発明をいう、以下同じ）の構成は、建物駆体のコンクリート製の外壁面に固定するベース部と、ベース部に立設する係止部とを備えてなり、係止部は、断熱パネルの発泡断熱材に差し込むことにより建物駆体との間に少なくともベース部の厚さ相当の空隙を設けて断熱パネルを建物駆体の外壁面に装着することをその要旨とする。
【０００８】
なお、係止部は、先端を尖らせることができ、係止部には、戻り止めを設けることができる。
【発明の効果】
【０００９】
かかる第１発明の構成によるときは、断熱パネルは、発泡断熱材の表面側にメッシュ織物を貼着して防水仕上げ処理されているから、極めて軽量であり、それ自体の断熱性能も良好である。なお、発泡断熱材としては、フェノールフォーム、ポリスチレンフォーム、硬質ウレタンフォーム、イソシアムレートフォーム、ポリエチレンフォーム等の各種の断熱性合成樹脂による独立気泡形の発泡体が使用可能であり、補強用のメッシュ織物としては、たとえばフィラメント数６０００〜４８０００本、繊度２０００〜３００００デニールの偏平な炭素繊維束を縦糸、横糸として網目の大きさ数cm〜数１０cmのメッシュ状に織成し、各縦糸、横糸の交差部を目止めして作ることができる。なお、メッシュ織物の縦糸、横糸は、それぞれ上記の炭素繊維束と、フィラメント数２００〜１００００本、繊度１０００〜２００００デニールの偏平なビニロン、アクリル、ケプラーなどの高強度繊維束とを適宜の本数比率で交織してもよい。また、防水仕上げ処理は、たとえばアクリル樹脂系、エチレン酢酸ビニル樹脂系などの耐候性、防水性に優れた塗料を使用することができる。
【００１０】
断熱パネルは、建物駆体の外壁面に固定する取付金具の係止部を発泡断熱材に差し込むことにより、建物駆体との間に少なくとも取付金具のベース部の厚さ相当の空隙を設けて装着するから、長期に亘り良好な断熱性能を維持することができる。ただし、取付金具は、建物駆体のコンクリート製の外壁面に対し、ベース部を接着し、またはアンカボルトを介してベース部を固定し、あるいは、これらを併用して固定するものとする。なお、断熱パネルは、建物駆体の外壁面上の取付金具の係止部に押し付けるように駆動することにより、係止部を発泡断熱材に差し込んで固定する。このとき、発泡断熱材をベース部に当接させて係止部の全長を発泡断熱材に差し込むことにより、建物駆体との間にベース部の厚さ相当の空隙を設けることができ、係止部の基部側の一部を残して発泡断熱材に差し込めば、ベース部の厚さより大きな空隙を設けることができる。
【００１１】
断熱パネルは、適宜のサイズの正方形または長方形などに切り揃え、１枚当り複数個の取付金具を使用して固定する。なお、隣接する断熱パネル間は、防水性の目地仕上げを施し、建物駆体との間の空隙に風雨が侵入することを防止する。断熱パネルは、補強用のメッシュ織物を介して膨出方向の曲げ強度を大きくしているため、外側に膨出するように湾曲したり、それによって取付金具の係止部から抜け落ちたりするおそれがない。ただし、係止部は、発泡断熱材に差し込むに際して接着剤を塗布することにより、接着剤を介して発泡断熱材に接着し、断熱パネルの固定強度を一層向上させることができる。
【００１２】
第２発明によるときは、係止部は、ベース部を建物駆体の外壁面に固定することにより外壁面に垂直となるから、これに断熱パネルを押し当てると、断熱パネルの発泡断熱材に差し込まれて断熱パネルを外壁面に装着することができる。なお、取付金具は、断熱パネルの固定強度を高めるために、適切な間隔ごとに外壁面上に固定し、１枚の断熱パネル当り複数個を使用するものとする。係止部は、ベース部上に１本を立設してもよく、大形のベース部上に２本以上を単列または複列に立設してもよい。係止部は、断熱パネルの発泡断熱材に差し込み易いように、薄板状、丸棒状、角棒状などに形成することができ、先端を尖らせることが好ましい。また、係止部は、先端部に戻り止めを形成して断熱パネルの脱落を防止してもよく、発泡断熱材に対する差込み深さを規制するストッパを途中に設けることにより、断熱パネルと建物駆体との間の空隙を適切に設定してもよい。
【発明を実施するための最良の形態】
【００１３】
以下、図面を以って発明の実施の形態を説明する。
【００１４】
建築物の外断熱構造は、建物駆体Ｒのコンクリート製の外壁面Ｒ1 に固定する取付金具１０と、取付金具１０を介して外壁面Ｒ1 に装着する断熱パネル２０とを備えてなる（図１）。
【００１５】
断熱パネル２０は、発泡断熱材２１の表面側に補強用のメッシュ織物２２を貼着し、防水仕上げ処理２３を施して構成されている。なお、補強用のメッシュ織物２２は、発泡断熱材２１、防水仕上げ処理２３に対する接着力に優れ、しかもメッシュ織物２２自体に対する親知性が良好な接着剤２２ａを介して発泡断熱材２１に貼着するものとし、このとき、発泡断熱材２１の表面には、適切なプライマ処理を施してもよい。発泡断熱材２１の厚さは、５０〜８０mm程度とするのがよく、断熱パネル２０の全体重量は、数kg／ｍ2 以下、特に好ましくは約２kg／ｍ2 以下に抑えることが好ましい。
【００１６】
取付金具１０は、ベース部１１上に係止部１２を立設して構成されている（図１、図２）。ベース部１１は、厚さｔ1 の長方形板状であり、ざぐり孔１１ａ、１１ａ…が四隅部に形成されている。なお、厚さｔ1 ≒５〜３０mmとするのが好ましい。また、係止部１２は、ベース部１１の一辺に立設する長方形の薄板状であって、厚さｔ2 ≒１〜５mmに設定されている。
【００１７】
取付金具１０は、各ざぐり孔１１ａに挿通するアンカボルト１３、１３…を介し、またはベース部１１の下面側の図示しない接着剤を介し、あるいは、これらを併用して建物駆体Ｒの外壁面Ｒ1 に固定する（図１）。なお、このとき、取付金具１０は、１枚の断熱パネル２０当り複数個が対応するように、外壁面Ｒ1 上に適宜の間隔ごとに配列して固定するものとする。
【００１８】
つづいて、断熱パネル２０を外壁面Ｒ1 上の取付金具１０に向けて押し付けると（図１の矢印Ａ、Ａ方向）、各取付金具１０の係止部１２が発泡断熱材２１にめり込むようにして差し込まれる。そこで、係止部１２の全長が発泡断熱材２１に差し込まれ、発泡断熱材２１の裏面側がベース部１１上に当接すると、断熱パネル２０は、建物駆体Ｒとの間にベース部１１の厚さｔ1 相当の空隙Ｇを設けて外壁面Ｒ1 に装着することができる。断熱パネル２０は、空隙Ｇ、発泡断熱材２１を介し、良好な断熱性能を発揮し、長期に亘ってそれを維持することができる。なお、係止部１２の全長は、発泡断熱材２１の厚さの６０〜８０％相当に設定することが好ましい。
【００１９】
以上の説明において、取付金具１０は、接着剤のみを介して建物駆体Ｒの外壁面Ｒ1 に固定するとき、ベース部１１上のざぐり孔１１ａ、１１ａ…を設ける必要がない。また、図１、図２の取付金具１０は、ベース部１１、係止部１２に相当する断面Ｌ字状のアルミニウム押出形材を係止部１２の幅相当に切断することにより、簡単に大量生産することができる。なお、押出形材を断面Ｔ字状にして、係止部１２をベース部１１の中心線上に立設してもよい。
【他の実施の形態】
【００２０】
取付金具１０は、長方形のベース部１１の対向する二辺に下向きの脚１１ｂ、１１ｂを折曲げ形成し、他の一辺に上向きの係止部１２を形成することができる（図３）。１枚の薄板材を折曲げ加工することにより、脚１１ｂ、１１ｂ付きの厚さｔ1 のベース部１１と、薄板状の係止部１２との全体形状を簡便に製作することができる。
【００２１】
取付金具１０は、係止部１２の先端を尖らせることができる（図４）。ただし、図４（Ａ）、（Ｂ）は、それぞれ全体斜視図、縦断面図である。なお、図４の係止部１２は、先端を斜めに尖らせるとともに、戻り止め１２ａが併せて形成されている。
【００２２】
取付金具１０は、ベース部１１を円形とし、係止部１２を丸棒状としてもよい（図５）。ただし、図５（Ａ）、（Ｂ）は、それぞれ全体斜視図、一部断面側面図である。図５の係止部１２は、先端を尖らせるとともに、３段の戻り止め１２ａ、１２ａ…が形成されている。また、ベース部１１には、スカート状の脚１１ｂが全周に形成され、ざぐり孔１１ａに代える孔１１ｃ、１１ｃが形成されている。なお、係止部１２の基部は、ベース部１１の中心部の孔１１ｄに差し込んで溶接されている。
【００２３】
長方形のベース部１１は、脚１１ｂ、１１ｂの下端に孔１１ｃ、１１ｃ付きの接地部１１ｅ、１１ｅを外向きに折曲げ形成してもよい（図６）。また、このようなベース部１１は、一方向に延長して複数本の係止部１２、１２…を立設することができる（図７）。なお、複数本の係止部１２、１２…は、図７のように単列に配列するに代えて、ベース部１１の形状を変更して複列に配列してもよい。
【００２４】
取付金具１０は、係止部１２の途中にストッパ１２ｂ、１２ｂを付設することができる（図８）。ただし、図８（Ａ）、（Ｂ）は、それぞれ全体斜視図、図１相当の使用状態模式図である。ストッパ１２ｂ、１２ｂは、断熱パネル２０の発泡断熱材２１に対する係止部１２の差込み深さｄを規制することにより、断熱パネル２０と建物駆体Ｒとの間の空隙Ｇ＞ｔ1 とすることができる。すなわち、ベース部１１は、厚さｔ1 ＜Ｇとして薄板材を使用することができる。なお、ストッパ１２ｂは、係止部１２の幅に合わせて全体を押出形材から作ってもよく、丸棒状の係止部１２の途中に設けることも可能である（図９）。
【００２５】
以上の説明において、取付金具１０の係止部１２は、断熱パネル２０の発泡断熱材２１に差し込むに際して少なくとも先端部に接着剤を塗布し、発泡断熱材２１に差し込むことにより、接着剤を介して発泡断熱材２１に接着することができる。取付金具１０による断熱パネル２０の固定強度を向上させることができる。
【００２６】
また、取付金具１０は、特に支障がない限り、図１〜図９の各実施の形態を任意に組み合わせることができる。たとえば、図３〜図９において、各ベース部１１のざぐり孔１１ａ、１１ａ…、孔１１ｃ、１１ｃ…を省略してもよく、図１〜図３の各係止部１２の先端を尖らせてもよい。また、図８、図９の各係止部１２の先端に１段または複数段の戻り止め１２ａを設けてもよく、図５のベース部１１は、図３または図６の形態としてもよい。さらに、図９のストッパ１２ｂは、角板状に形成してもよく、各図の係止部１２は、薄板状、丸棒状に代えて、四角、六角などの角棒状としてもよい。
【００２７】
なお、断熱パネル２０は、建物駆体Ｒとの間の空隙Ｇ内に上下方向の線状に、または島状に分散して設ける接着剤を介し、裏面側の発泡断熱材２１を建物駆体Ｒに併せて接着してもよい。このときの接着剤は、容易に垂れない接着用モルタルや、充填剤入りのエポキシ系接着剤などを使用することができる。ただし、空隙Ｇ相当のスペーサを併用するときは、任意の合成樹脂系、ゴム系などの構造用接着剤が使用可能である。
【図面の簡単な説明】
【００２８】
【図１】使用状態模式図
【図２】全体斜視図
【図３】他の実施の形態を示す図２相当図（１）
【図４】他の実施の形態を示す全体構成説明図
【図５】他の実施の形態を示す図４相当説明図
【図６】他の実施の形態を示す図２相当図（２）
【図７】他の実施の形態を示す図２相当図（３）
【図８】他の実施の形態を示す図２、図１相当説明図
【図９】他の実施の形態を示す図２相当図（４）
【符号の説明】
【００２９】
Ｒ…建物駆体
Ｒ1 …外壁面
Ｇ…空隙
ｔ1 …厚さ
１０…取付金具
１１…ベース部
１２…係止部
１２ａ…戻り止め
２０…断熱パネル
２１…発泡断熱材
２２…メッシュ織物
２３…防水仕上げ処理
特許出願人          株式会社  エマージー
有限会社  畑田商会
代理人  弁理士            松  田  忠  秋
【図１】
2007170002.tif 000003
【図２】
2007170002.tif 000004
【図３】
2007170002.tif 000005
【図４】
2007170002.tif 000006
【図５】
2007170002.tif 000007
【図６】
2007170002.tif 000008
【図７】
2007170002.tif 000009
【図８】
2007170002.tif 000010
【図９】
2007170002.tif 000011